(57)【要約】【課題】防犯上の効果が高く、また空掛け防止機能によりクレセントや障子を破損することのないクレセント付サッシを提供する。【解決手段】内外障子を引き違い状とし、内障子４ａの召合せ框９１にはハンドル１３と連動して回動する掛部１２とその回動機構を備えたボックス部１１とを有したクレセント１０を設け、外障子４ｂの召合せ框９１には掛部１２が係合する受部１６を有した受金具１５を設けたサッシであり、受金具１５にはその室内面の少なくとも一部を覆う金具カバー３０を設け、金具カバー３０は掛部１２より見付方向外側となる位置に室内側に突出する突部３１を有し、クレセントのボックス部１１には回動阻止機構が設けられ、回動阻止機構はハンドル１３の回動に伴ってボックス部１１から室外側に突出するトリガ部２３を有し、トリガ部２３は内外障子が閉じた状態でハンドル１３を回動させると突部３１に当接する。【選択図】図５
2006214254.tif 000002
【特許請求の範囲】
【請求項１】
枠体内に設けられる内外障子のうち内障子の召合せ框に設けられるものであって、ハンドルと連動して回動する掛部と該掛部の回動機構を備えたボックス部とを有してなり、上記掛部は上記外障子の召合せ框に設けられる受部に係脱自在なクレセントにおいて、
上記クレセントのボックス部には回動阻止機構が設けられ、該回動阻止機構は上記ハンドルの回動に伴ってボックス部から室外側に突出するトリガ部を有し、該トリガ部は上記内外障子が閉じた状態で上記ハンドルを回動させると上記外障子の召合せ框の上記掛部より見付方向外側となる位置に室内側に突出するように形成された突部に当接し、上記トリガ部が上記突部に当接すると上記ハンドルに対するロックを解除し、上記トリガ部が上記突部に当接することなくさらに突出すると上記ハンドルをロックすることを特徴とするクレセント。
【請求項２】
上記トリガ部はボックス部から突出する水平位置が上記受部に対して上方または下方に配置されてなることを特徴とする請求項１記載のクレセント。
【請求項３】
上記突部は上記外障子の召合せ框の室内面に設けられるカバー体に形成されてなることを特徴とする請求項１または２記載のクレセント。
【請求項４】
枠体内に設けられる内外障子のうち外障子の召合せ框に設けられるものであって、上記内障子の召合せ框に設けられボックス部と回動自在な掛部とからなるクレセントの掛部が係合する受部を備えた受具本体を有したクレセント受けにおいて、
上記受具本体は上記受部より見付方向外側となる位置に室内側に突出する突部を有し、該突部は上記クレセントのボックス部に設けられ上記掛部の回動に伴って室外側に突出自在なトリガ部が掛部の回動規制解除位置で当接することを特徴とするクレセント受け。
【請求項５】
上記突部は上記受部に対して上方または下方の水平位置に配置されてなることを特徴とする請求項４記載のクレセント受け。
【請求項６】
上記受具本体は上記受部を有した受金具と、該受金具の室内面の少なくとも一部を覆う金具カバーとからなり、上記突部は上記金具カバーに形成されてなることを特徴とする請求項４または５記載のクレセント受け。
【請求項７】
上記突部の先端部は円弧状または多角形状に形成され上記トリガ部の先端部が側方から傾斜状に当接自在としてなることを特徴とする請求項４〜６のいずれか１項に記載のクレセント受け。
【請求項８】
内外障子を枠体内に設け、上記内障子の召合せ框にはハンドルと連動して回動する掛部と該掛部の回動機構を備えたボックス部とを有したクレセントを設け、上記外障子の召合せ框には上記クレセントの掛部が係合する受部を有した受金具を設けたクレセント付サッシにおいて、
上記外障子の召合せ框には上記掛部より見付方向外側となる位置に室内側に突出する突部を設け、
上記クレセントのボックス部には回動阻止機構が設けられ、該回動阻止機構は上記ハンドルの回動に伴ってボックス部から室外側に突出するトリガ部を有し、該トリガ部は上記内外障子が閉じた状態で上記ハンドルを回動させると上記突部に当接し、上記トリガ部が上記突部に当接すると上記ハンドルに対するロックを解除し、上記トリガ部が上記突部に当接することなくさらに突出すると上記ハンドルをロックすることを特徴とするクレセント付サッシ。
【発明の詳細な説明】
【技術分野】
【０００１】
本発明は引き違い状の内外障子の召合せ框に設けられるクレセントとクレセント受け及びクレセント付サッシに関し、特に空掛け防止機能を有したクレセントとクレセント受け及びクレセント付サッシに関する。
【背景技術】
【０００２】
従来から内外障子を引き違い状としてなるサッシが知られている。このようなサッシでは、内障子の召合せ框にクレセントを設け、外障子の召合せ框には受部を設け、クレセントのハンドルを回動させることで、それに連動して爪状の掛部が回動し、外障子の受部に係合して障子を施錠することができるようにされている。このようなクレセントを有した引き違い障子のサッシは例えば特許文献１に挙げるようなものがある。
【特許文献１】特開２００２−１８０７５５号公報
【０００３】
クレセントは、内外障子が閉じた状態でなければ掛部が受部に係合しないので、障子が開いた状態ではハンドルを回動させても空掛け状態となり施錠されない。このように、空掛け状態ともなるクレセントでは、ハンドルを回動させても施錠されないことがあるので、防犯上好ましくない。また、空掛け状態で障子を走行させると、爪状の掛部が障子の框に傷を付けたり変形したりすることがある。そこで、特許文献２や特許文献３に示すように、空掛け防止機能を備えたクレセントが知られている。従来の空掛け防止機能付きクレセントは、掛部に揺動体を設けてそれが受部または框に当接することでハンドルのロックを解除し、当接しない場合にはハンドルをロックするようにしていた
【特許文献２】特開平９−１５８５８４号公報
【特許文献３】特開平９−１５８５８５号公報
【発明の開示】
【発明が解決しようとする課題】
【０００４】
しかし、従来の空掛け防止機能付きクレセントは、掛部に揺動体を設けてそれが受部ないし外障子の召合せ框を検出することでロックを解除するようにしていたので、揺動体が室外側から見える状態となる。防犯に関係する機能が室外側から見えると、防犯上の効果が低くなる。
【０００５】
また、掛部に揺動体を設けると、空掛けの状態でクレセントのハンドルを回動させた場合、途中でハンドルの回動がロックされるので、一旦ハンドルを元の位置に戻し、障子を閉めた上でもう一度ハンドルを回動させる必要があった。ここで、クレセントのハンドルを手で保持したまま障子を閉じようとすると、揺動体は受部ないし外障子の召合せ框に干渉するので、これらを破損する恐れがあった。
【０００６】
本発明は、上記課題を解決すべくなされたものであり、防犯上の効果が高く、また空掛け防止機能によりクレセントや障子を破損することのないクレセントとクレセント受け及びクレセント付サッシを提供することを目的とする。
【課題を解決するための手段】
【０００７】
上記課題を解決するため、本発明に係るクレセントは、枠体内に設けられる内外障子のうち内障子の召合せ框に設けられるものであって、ハンドルと連動して回動する掛部と該掛部の回動機構を備えたボックス部とを有してなり、上記掛部は上記外障子の召合せ框に設けられる受部に係脱自在なクレセントにおいて、
上記クレセントのボックス部には回動阻止機構が設けられ、該回動阻止機構は上記ハンドルの回動に伴ってボックス部から室外側に突出するトリガ部を有し、該トリガ部は上記内外障子が閉じた状態で上記ハンドルを回動させると上記外障子の召合せ框の上記掛部より見付方向外側となる位置に室内側に突出するように形成された突部に当接し、上記トリガ部が上記突部に当接すると上記ハンドルに対するロックを解除し、上記トリガ部が上記突部に当接することなくさらに突出すると上記ハンドルをロックすることを特徴として構成されている。
【０００８】
また、本発明に係るクレセントは、上記トリガ部はボックス部から突出する水平位置が上記受部に対して上方または下方に配置されてなることを特徴として構成されている。
【０００９】
さらに、本発明に係るクレセントは、上記突部は上記外障子の召合せ框の室内面に設けられるカバー体に形成されてなることを特徴として構成されている。
【００１０】
さらにまた、本発明に係るクレセント受けは、枠体内に設けられる内外障子のうち外障子の召合せ框に設けられるものであって、上記内障子の召合せ框に設けられボックス部と回動自在な掛部とからなるクレセントの掛部が係合する受部を備えた受具本体を有したクレセント受けにおいて、
上記受具本体は上記受部より見付方向外側となる位置に室内側に突出する突部を有し、該突部は上記クレセントのボックス部に設けられ上記掛部の回動に伴って室外側に突出自在なトリガ部が掛部の回動規制解除位置で当接することを特徴として構成されている。
【００１１】
そして、本発明に係るクレセント受けは、上記突部は上記受部に対して上方または下方の水平位置に配置されてなることを特徴として構成されている。
【００１２】
また、本発明に係るクレセント受けは、上記受具本体は上記受部を有した受金具と、該受金具の室内面の少なくとも一部を覆う金具カバーとからなり、上記突部は上記金具カバーに形成されてなることを特徴として構成されている。
【００１３】
さらに、本発明に係るクレセント受けは、上記突部の先端部は円弧状または多角形状に形成され上記トリガ部の先端部が側方から傾斜状に当接自在としてなることを特徴として構成されている。
【００１４】
さらにまた、本発明に係るクレセント付サッシは、内外障子を枠体内に設け、上記内障子の召合せ框にはハンドルと連動して回動する掛部と該掛部の回動機構を備えたボックス部とを有したクレセントを設け、上記外障子の召合せ框には上記クレセントの掛部が係合する受部を有した受金具を設けたクレセント付サッシにおいて、
上記外障子の召合せ框には上記掛部より見付方向外側となる位置に室内側に突出する突部を設け、
上記クレセントのボックス部には回動阻止機構が設けられ、該回動阻止機構は上記ハンドルの回動に伴ってボックス部から室外側に突出するトリガ部を有し、該トリガ部は上記内外障子が閉じた状態で上記ハンドルを回動させると上記突部に当接し、上記トリガ部が上記突部に当接すると上記ハンドルに対するロックを解除し、上記トリガ部が上記突部に当接することなくさらに突出すると上記ハンドルをロックすることを特徴として構成されている。
【発明の効果】
【００１５】
本発明に係るクレセントによれば、ボックス部に回動阻止機構が設けられ、この回動阻止機構はハンドルの回動に伴って室外側に突出するトリガ部を有し、トリガ部が突部に当接するとハンドルに対するロックを解除し、トリガ部が突部に当接することなくさらに突出するとハンドルの回動をロックするようにしたことにより、外障子の召合せ框とクレセントのボックス部から突出するトリガ部とによって障子が閉じているか否かを検出するので、クレセントの掛部に検出部を設ける必要がなく、室外側に空掛け防止機能のための構成が露出しない。すなわち、防犯性を高めることができる。また、ハンドルのロック状態においては、ボックス部のトリガ部が他の部材と連係し、掛部は他の部材と連係していないので、その状態のまま障子を移動させても、掛部により受部や框体などを破損することがない。
【００１６】
また、本発明に係るクレセントによれば、トリガ部はボックス部から突出する水平位置が受部に対して上方または下方に配置されてなることにより、トリガ部が突出した状態で障子を移動させても、トリガ部が受部と干渉することがなく、受部を破損させることがない。
【００１７】
本発明に係るクレセント受けによれば、受具本体は受部より見付方向外側となる位置に室内側に突出する突部を有し、突部はクレセントのボックス部に設けられ掛部の回動に伴って室外側に突出自在なトリガ部が掛部の回動規制解除位置で当接することにより、外障子の召合せ框とクレセントのボックス部から突出するトリガ部とによって障子が閉じているか否かを検出するので、クレセントの掛部に検出部を設ける必要がなく、室外側に空掛け防止機能のための構成が露出しない。すなわち、防犯性を高めたクレセントを設けることができる。
【００１８】
また、本発明に係るクレセント受けによれば、突部は受部に対して上方または下方の水平位置に配置されてなることにより、クレセント側のトリガ部を受部に対して上方または下方に配置させることができ、トリガ部が突出した状態で障子を移動させても、トリガ部が受部と干渉することがなく、受部を破損させることがない。
【００１９】
さらに、本発明に係るクレセント受けによれば、突部の先端部は円弧状または多角形状に形成されトリガ部の先端部が側方から傾斜状に当接自在としてなることにより、ハンドルがロックされた状態のまま障子を移動させた場合に、その移動に伴ってトリガ部が突部に対して円滑に押圧されるようにすることができる。
【００２０】
本発明に係るクレセント付サッシによれば、外障子の召合せ框は掛部より見付方向外側となる位置に室内側に突出する突部を有し、クレセントのボックス部はハンドルの回動に伴って室外側に突出するトリガ部を有し、トリガ部が突部に当接するとハンドルに対するロックを解除し、トリガ部が突部に当接することなくさらに突出するとハンドルの回動をロックするようにしたことにより、外障子の召合せ框とクレセントのボックス部から突出するトリガ部とによって障子が閉じているか否かを検出するので、クレセントの掛部に検出部を設ける必要がなく、室外側に空掛け防止機能のための構成が露出しない。すなわち、防犯性を高めることができる。また、ハンドルのロック状態においては、ボックス部のトリガ部が他の部材と連係し、掛部は他の部材と連係していないので、その状態のまま障子を移動させても、掛部により受部や框体などを破損することがない。
【発明を実施するための最良の形態】
【００２１】
本発明の実施形態について、図面に沿って詳細に説明する。図１は本実施形態におけるサッシを室内側から見た正面図である。この図に示すように、本実施形態におけるサッシは、建物開口部に方形状の枠体１を設け、その内部に２枚の障子４、４を引き違い状に納めてなるものである。
【００２２】
障子４は上框７０と下框８０及び左右の縦框９０、９０を方形状に框組みしてなる框体２にガラス体３を納めてなるものである。そして、内障子４ａの召合せ框９１にはクレセント１０が設けられ、外障子４ｂの召合せ框９１には受金具１５が設けられる。
【００２３】
クレセント１０は、召合せ框９１に固定されるボックス部１１と、ボックス部１１に回動自在に取付けられたハンドル１３と、ハンドル１３に固定され共に回動する爪状の掛部１２とを備えている。受金具１５は、内障子４ａと外障子４ｂが閉じた状態でクレセント１０の掛部１２が回動することで係合する受部１６を備えている。
【００２４】
図２には、クレセント１０を室外側から見た正面図を示している。この図に示すように、ボックス部１１は上下方向に長い箱状に形成されており、ハンドル１３はボックス部１１に隣接するように回動自在に設けられている。また、掛部１２はハンドル１３が上向きに配置されているときに室外面となる面に取付けられている。
【００２５】
ボックス部１１内部にはハンドル１３を回動させる回動機構と、掛部１２の空掛け状態の場合にハンドル１３の回動をロックする回動規制機構２０とが納められている。また、図３に示すように、回動規制機構２０の一部であるトリガ部２３がハンドル１３の回動に伴って突出するための開口部１１ａがボックス部１１の室外面に２か所設けられている。本実施形態では、上側の開口部１１ａからトリガ部２３が突出する。回動規制機構２０の詳細については後述する。
【００２６】
図３には、受金具１５を室内側から見た正面図を示している。受金具１５は、図３で示す右半分は召合せ框９１に対する固定部１７として形成され、左半分はクレセント１０の掛部１２に対する受部１６として形成されている。受部１６は方形状で中央部が中空状とされた枠形状に形成されており、左端部にはクレセント１０の掛部１２に係合する被係合部１６ａを有している。また、受部１６の室内面には樹脂材からなる金具カバー３０が設けられている。
【００２７】
金具カバー３０は、受部１６を略覆うように中央部を中空状とした枠形状に形成されている。ただし、被係合部１６ａは室内側に露出させるようにしている。また、金具カバー３０には、その上部から被係合部１６ａと中空状の部分を介して対向する側部にかけて略Ｌ字状に突出させた突起部３１が形成され、さらにそれと上下対称形状となるように下部にも同様に突起部３１が形成される。これにより金具カバー３０は、受部１６の被係合部１６ａよりも見付方向外側位置に突起部３１が形成されていることになる。またその突起部３１は、被係合部１６ａに対して水平位置が上方及び下方に位置している。
【００２８】
図４には内障子４ａと外障子４ｂを閉じた状態における召合せ框９１、９１の横断面図であって、クレセント１０による施錠がなされていない状態の図を示している。この図に示すように、この状態ではクレセント１０のハンドル１３は下向きに配置され、また掛部１２は室内側に配置されている。外障子４ｂの受部１６に形成された被係合部１６ａは、内障子４ａと外障子４ｂを閉じた状態でクレセント１０の掛部１２に対向する位置に配置されている。また、金具カバー３０に形成された突起部３１は、クレセント１０のボックス部１１に対向する位置に配置されている。
【００２９】
図５には図４の状態からクレセント１０による施錠を行った状態の図を示している。この図に示すように、この状態ではクレセント１０のハンドル１３は上向きに配置され、また掛部１２は受部１６の被係合部１６ａに係合している。ここで、クレセント１０のボックス部１１からはその内部に設けられた回動規制機構２０のトリガ部２３が突出し、その先端部２３ａが金具カバー３０の突起部３１の先端部３１ａに当接している。
【００３０】
このように、内障子４ａと外障子４ｂが完全に閉じた状態で、クレセント１０の掛部１２が受部１６の被係合部１６ａに係合可能な状態においては、クレセント１０のハンドル１３の回動に伴ってボックス部１１から室外側に向かって突出するトリガ部２３が、受部１６の被係合部１６ａよりも見付方向外側に形成された金具カバー３０の突起部３１に当接し、これによって回動規制機構２０はハンドル１３の回動に対するロックを解除する。すなわち、内障子４ａと外障子４ｂが完全に閉じた状態では、クレセント１０のハンドル１３は、回動規制機構２０に回動を規制されることなく掛部１２が受部１６の被係合部１６ａに係合する位置まで回動させることができる。
【００３１】
図６には内障子４ａと外障子４ｂが閉じていない状態における召合せ框９１、９１の横断面図を示している。この図に示すように、この状態でクレセント１０のハンドル１３を回動させると、ボックス部１１から回動規制機構２０のトリガ部２３が突出し、この場合はトリガ部２３の突出方向に突起部３１のような障害物がないため、図５の場合よりさらに室外側まで突出する。すると、回動規制機構２０はハンドル１３の回動をロックし、それ以上ハンドル１３を施錠方向に回動できないようにする。これにより内障子４ａと外障子４ｂが完全には閉じていない際に生じるクレセントの空掛けを防止することができる。
【００３２】
図６の状態において、クレセント１０のハンドル１３をロックされた状態で保持したまま内障子４ａまたは外障子４ｂを移動させ、完全に閉じた状態にしようとすると、クレセント１０側のトリガ部２３が受部１６側の突起部３１に干渉する。しかし、トリガ部２３はハンドル１３がロックされた状態でも室内側に押圧すると引っ込むように形成されており、またトリガ部２３の先端部２３ａと突起部３１の先端部３１ａはいずれも角部が面取りされて多角形状に形成されていることにより、ハンドル１３がロックされたまま内障子４ａまたは外障子４ｂを移動させても、トリガ部２３は突起部３１に対し傾斜状に当接する。そのため、突起部３１によってトリガ部２３がボックス部１１内部に押し込まれ、それにより図５の状態となって回動規制機構２０によるハンドル１３のロックは解除される。なお、トリガ部２３の先端部２３ａ及び突起部３１の先端部３１ａは、多角形状だけでなく、円弧状に形成してもよい。また、突起部３１だけを多角形状ないし円弧状としてもよい。
【００３３】
さらに、内障子４ａと外障子４ｂが図６の状態よりも大きく開いており、トリガ部２３が受部１６の被係合部１６ａよりも内障子４ａの見付方向内側位置に向かって突出した場合においても、突起部３１は受部１６の被係合部１６ａよりも上方及び下方に形成されており、そのうち上方に形成された突起部３１に対して当接するようにトリガ部２３が設けられているので、ボックス部１１から室外側に突出したトリガ部２３は、受部１６の被係合部１６ａに干渉することがない。そのため、この場合においてもハンドル１３がロックされた状態のまま障子４、４を移動させて完全に閉めた状態にすることができる。
【００３４】
このように、受部１６において被係合部１６ａよりも見付方向外側位置に突起部３１が形成され、一方クレセント１０のボックス部１１からトリガ部２３が突出して突起部３１に当接することでハンドル１３に対するロックを解除するようにしたことで、掛部１２は空掛け防止機能を有しないクレセントのものと同様であり、回動規制機構２０が室外側から見えないようにすることができるので、防犯上の効果が高いサッシとすることができる。また、トリガ部２３及び突起部３１の水平位置が、受部１６の被係合部１６ａに対して上方または下方とされていることにより、障子が完全には閉じておらずトリガ部２３が突出した状態のまま障子を移動させても、受部１６の被係合部１６ａと干渉することがなく、トリガ部２３により受部１６を破損させる恐れのないサッシとすることができる。
【００３５】
また、クレセント１０のハンドル１３がロックされた状態、すなわちトリガ部２３が最も室外側に突出した状態で、掛部１２の先端はトリガ部２３の先端よりも室内側に配置される。これにより、クレセント１０を空掛け状態としたまま障子を移動させても、掛部１２はトリガ部２３の先端より室外側に突出しないので、受部１６に干渉することがなく、掛部１２により受部１６を破損させる恐れのないサッシとすることができる。
【００３６】
次に、ボックス部１１に納められる回動規制機構２０について説明する。図７はボックス部１１の内部構造を示したクレセント１０の正面図である。この図に示すように、ボックス部１１の内部には、ハンドル１３と連動して回動する回転体２１と、この回転体２１と連係しスライドするスライド部２２と、スライド部２２に取付けられスライド部２２のスライドに伴ってボックス部１１の開口部１１ａから外側に突出するトリガ部２３とが納められて回動規制機構２０を構成している。ここで、スライド部２２は図示しないバネによってトリガ部２３の突出方向に付勢された状態となっている。以下、回動規制機構２０を構成する回転体２１とスライド部２２及びトリガ部２３のみを取り出して説明する。
【００３７】
図８には、回動規制機構２０の斜視図であって、開錠した状態、すなわちハンドル１３が下向きに配置されている状態の図を示している。この図に示すように、回転体２１のスライド部２２と対向する面には、切欠状の係止部２１ａが形成されている。また、スライド部２２の回転体２１と対向する面には、回転体２１の方に向かって突出するストッパ２２ａが形成されている。また、スライド部２２とトリガ部２３は一体的に形成されている。
【００３８】
図９には、図８の回動規制機構２０を反対側から見た斜視図を示している。この図に示すように、回転体２１の係止部２１ａが形成されている面には、棒状に突出した被押圧部２１ｂが形成されており、一方スライド部２２には、図９の状態では被押圧部２１ｂに圧接するように切欠状の押圧部２２ｂが形成されている。上述のようにスライド部２２は、トリガ部２３の突出方向にバネにより付勢されているので、図８や図９の状態においては、スライド部２２の押圧部２２ｂが回転体２１の被押圧部２１ｂを押圧し、その反力によりスライド部２２が静止した状態となっている。
【００３９】
図１０〜図１４には、回動規制機構２０の正面図を示している。図１０は図８や図９と同様に開錠状態であってクレセント１０のハンドル１３が下方に向いた状態を示している。この状態では、トリガ部２３はボックス部１１から突出することなく納まっている。ただし、障子の開閉に支障がない程度にトリガ部２３がボックス部１１から突出していてもよい。また、スライド部２２の押圧部２２ｂは回転体２１の被押圧部２１ｂに圧接し、付勢されたスライド部２２を静止させている。
【００４０】
図１１は、図１０の状態からクレセント１０のハンドル１３をわずかに回動させた状態を示している。回転体２１は、ハンドル１３の回動に伴って回動し、被押圧部２１ｂが外側に向かって移動する。それに伴って、外側に向かって付勢されたスライド部２２も外側に向かって移動し、トリガ部２３がボックス部１１の開口部１１ａから突出する。
【００４１】
図１２は、図１１の状態からさらにクレセント１０のハンドル１３を回動させた状態を示している。回転体２１の回動に伴って、スライド部２２及びそれと一体形成されたトリガ部２３は外側に向かって移動し、トリガ部２３はボックス部１１の開口部１１ａから大きく突出する。これは、トリガ部２３の突出に対する障害物がない場合であり、内障子４ａと外障子４ｂが完全には閉じていない場合に図１２の状態となる。すると、回転体２１の係止部２１ａがスライド部２２のストッパ２２ａに当接し、それ以上回転体２１が回動できなくなる。すなわち、ハンドル１３がロックされた状態となる。
【００４２】
図１３は、トリガ部２３が金具カバー３０の突起部３１に当接した状態を示している。すなわち、この場合は、内障子４ａと外障子４ｂが完全に閉じた状態となっている。トリガ部２３の先端部２３ａが突起部３１の先端部３１ａに当接すると、スライド部２２及びトリガ部２３はそれ以上外側に向かって移動しないようになる。この状態では、スライド部２２のストッパ２２ａも内側で静止した状態となるので、回転体２１の係止部２１ａはスライド部２２のストッパ２２ａと干渉することがなく、回転体２１は自在に回動することができる。
【００４３】
図１４は、図１３の状態からハンドル１３をさらに回動させてクレセント１０を施錠した状態を示している。トリガ部２３が突起部３１に当接した状態でさらにハンドル１３を回動させても、スライド部２２及びトリガ部２３は突起部３１により静止したままであるため、回転体２１はスライド部２２のストッパ２２ａに干渉されることなく回動する。ハンドル１３の回動を続けると、掛部１２が受部１６の被係合部１６ａに係合し、施錠がなされる。
【００４４】
回動規制機構２０は、以上のような構成により、内障子４ａと外障子４ｂが完全に閉じた状態、すなわちトリガ部２３が金具カバー３０の突起部３１に当接する場合には、ハンドル１３のロックを解除し、内障子４ａと外障子４ｂが完全には閉じていない状態、すなわちトリガ部２３の突出に対する障害物が存在しない場合には、ハンドル１３をロックする。
【００４５】
次に、本発明を適用した別の実施形態について説明する。図１５は本実施形態における受金具１５の正面図である。これ以外の構成、すなわち障子４やクレセント１０のボックス部１１や掛部１２及び回動規制機構２０などについては、第１の実施形態と同様である。本実施形態では、外障子４ｂ側に設けられる受金具１５の形状と金具カバー３０の形状が異なっている。
【００４６】
図１５に示すように、本実施形態の受金具１５は、受部１６が略台形状に形成され、先端側が折り返されて被係合部１６ａを形成している。金具カバー３０は、受金具１５のうち固定部１７と受部１６の底辺側の一部の室内面を覆っている。すなわち、受部１６の先端側については金属材が露出した状態とされている。このように、金具カバー３０は受部１６の一部を覆っていればよい。
【００４７】
そして、金具カバー３０のうち受部１６を覆っている部分には、突起部３１が縦方向略全長に渡って形成されている。突起部３１は、断面略台形状となるように形成されている。この場合も、第１の実施形態と同様に突起部３１は被係合部１６ａよりも見付方向外側に位置し、また被係合部１６ａに対する水平位置が上方及び下方にも突起部３１が伸びている。したがって、この受金具１５及び金具カバー３０によっても、第１の実施形態の受金具１５及び金具カバー３０と同様の機能を果たすことができる。
【００４８】
さらに、第３の実施形態について説明する。図１６は受金具１５のさらに別の形態を示した正面図である。これ以外の構成、すなわち障子４やクレセント１０のボックス部１１や掛部１２及び回動規制機構２０などについては、第１の実施形態と同様である。
【００４９】
図１６に示すように、本実施形態の受金具１５は、第１の実施形態における受金具１５と略同様の形状を有しており、図１６で示す右半分は召合せ框９１に対する固定部１７として形成され、左半分はクレセント１０の掛部１２に対する受部１６として形成されている。受部１６は方形状で中央部が中空状とされた枠形状に形成されており、左端部にはクレセント１０の掛部１２に係合する被係合部１６ａを有している。
【００５０】
受金具１５の室内面には金具カバー３０が設けられる。金具カバー３０は、延べ棒状に形成され、受金具１５の受部１６と固定部３０の境界上に取付けられる。また、金具カバー３０は裏側に受部１６の中空状に形成された部分の縁部に係合する取付部３０ａを有している。さらに、金具カバー３０は室内面の上部及び下部にそれぞれ突起部３１が形成される。これにより金具カバー３０は、受部１６の被係合部１６ａよりも見付方向外側位置に突起部３１が形成されていることになる。またその突起部３１は、被係合部１６ａに対して水平位置が上方及び下方に位置している。したがって、この受金具１５及び金具カバー３０によっても、第１及び第２の実施形態の受金具１５及び金具カバー３０と同様の機能を果たすことができる。
【００５１】
以上、本発明の実施形態について説明したが、本発明の適用は本実施形態には限られず、その技術的思想の範囲内において様々に適用されうるものである。本実施形態では、本発明を引き違いサッシに適用したが、これに限られずクレセントを用いるサッシであれば適用できる。例えば、内外障子の一方を走行自在とし、他方を嵌め殺しとしたサッシや上げ下げ窓サッシなどにも適用することができる。
【００５２】
また、本実施形態で突起部３１は受金具１５を覆う金具カバー３０に形成されているが、これには限られず、クレセント１０のボックス部１１から突出するトリガ部２３を受けることのできる位置、すなわち外障子４ｂの召合せ框９１において掛部１２よりも見付方向外側となる位置に設けられていればよい。そのため、例えば突起部３１は外障子４ｂの召合せ框９１の室内面に直接形成するようにしてもよい。また、外障子４ｂの召合せ框９１に受金具１５とは別体であって突起部３１を有する当接部材を設け、この当接部材の突起部３１に対し、クレセント１０のボックス部１１から突出するトリガ部２３を当接させるようにしてもよい。なお、当接部材は受金具１５とは重ならないようにしてもよいし、一部重なるようにしてもよい。さらに、受金具１５に曲げ加工等を施して掛部１２よりも見付方向外側となる位置に突起部３１を形成するようにしてもよい。
【図面の簡単な説明】
【００５３】
【図１】本実施形態におけるサッシを室内側から見た正面図である。
【図２】クレセントを室外側から見た正面図である。
【図３】受金具を室内側から見た正面図である。
【図４】内障子と外障子を閉じた状態における召合せ框の横断面図であって、クレセントによる施錠がなされていない状態の図である。
【図５】図４の状態からクレセントによる施錠を行った状態の図である。
【図６】内障子と外障子が閉じていない状態における召合せ框の横断面図である。
【図７】ボックス部の内部構造を示したクレセントの正面図である。
【図８】回動規制機構の斜視図であってハンドルが下向きに配置されている状態の図である。
【図９】図８の回動規制機構を反対側から見た斜視図である。
【図１０】開錠状態でクレセントのハンドルが下方に向いた状態における回動規制機構の正面図である。
【図１１】図１０の状態からクレセントのハンドルをわずかに回動させた状態における回動規制機構の正面図である。
【図１２】図１１の状態からさらにクレセントのハンドルを回動させた状態における回動規制機構の正面図である。
【図１３】トリガ部が金具カバーの突起部に当接した状態における回動規制機構の正面図である。
【図１４】図１３の状態からハンドルをさらに回動させてクレセントを施錠した状態における回動規制機構の正面図である。
【図１５】受金具の第２形態の正面図である。
【図１６】受金具の第３形態の正面図である。
【符号の説明】
【００５４】
１    枠体
２    框体
３    ガラス体
４    障子
４ａ  内障子
４ｂ  外障子
１０    クレセント
１１    ボックス部
１１ａ  開口部
１２    掛部
１３    ハンドル
１５    受金具
１６    受部
１６ａ  被係合部
２０    回動規制機構
２１    回転体
２１ａ  係止部
２１ｂ  被押圧部
２２    スライド部
２２ａ  ストッパ
２２ｂ  押圧部
２３    トリガ部
２３ａ  先端部
３０    金具カバー
３１    突起部
３１ａ  先端部
９０    縦框
９１    召合せ框
【図１】
2006214254.tif 000003
【図２】
2006214254.tif 000004
【図３】
2006214254.tif 000005
【図４】
2006214254.tif 000006
【図５】
2006214254.tif 000007
【図６】
2006214254.tif 000008
【図７】
2006214254.tif 000009
【図８】
2006214254.tif 000010
【図９】
2006214254.tif 000011
【図１０】
2006214254.tif 000012
【図１１】
2006214254.tif 000013
【図１２】
2006214254.tif 000014
【図１３】
2006214254.tif 000015
【図１４】
2006214254.tif 000016
【図１５】
2006214254.tif 000017
【図１６】
2006214254.tif 000018
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
枠体内に設けられる内外障子のうち内障子の召合せ框に設けられるものであって、ハンドルと連動して回動する掛部と該掛部の回動機構を備えたボックス部とを有してなり、上記掛部は上記外障子の召合せ框に設けられる受部に係脱自在なクレセントにおいて、
上記クレセントのボックス部には回動阻止機構が設けられ、該回動阻止機構は上記ハンドルの回動に伴ってボックス部から室外側に突出するトリガ部を有し、該トリガ部は上記内外障子が閉じた状態で上記ハンドルを回動させると上記外障子の召合せ框の上記掛部より見付方向外側となる位置に室内側に突出するように形成された突部に当接し、上記トリガ部が上記突部に当接すると上記ハンドルに対するロックを解除し、上記トリガ部が上記突部に当接することなくさらに突出すると上記ハンドルをロックすることを特徴とするクレセント。
【請求項２】
上記トリガ部はボックス部から突出する水平位置が上記受部に対して上方または下方に配置されてなることを特徴とする請求項１記載のクレセント。
【請求項３】
上記突部は上記外障子の召合せ框の室内面に設けられるカバー体に形成されてなることを特徴とする請求項１または２記載のクレセント。
【請求項４】
内外障子を枠体内に設け、上記内障子の召合せ框にはハンドルと連動して回動する掛部と該掛部の回動機構を備えたボックス部とを有したクレセントを設け、上記外障子の召合せ框には上記クレセントの掛部が係合する受部を有した受金具を設けたクレセント付サッシにおいて、
上記外障子の召合せ框には上記掛部より見付方向外側となる位置に室内側に突出する突部を設け、
上記クレセントのボックス部には回動阻止機構が設けられ、該回動阻止機構は上記ハンドルの回動に伴ってボックス部から室外側に突出するトリガ部を有し、該トリガ部は上記内外障子が閉じた状態で上記ハンドルを回動させると上記突部に当接し、上記トリガ部が上記突部に当接すると上記ハンドルに対するロックを解除し、上記トリガ部が上記突部に当接することなくさらに突出すると上記ハンドルをロックすることを特徴とするクレセント付サッシ。
【手続補正３】
【補正対象書類名】明細書
【補正対象項目名】０００１
【補正方法】変更
【補正の内容】
【０００１】
本発明は引き違い状の内外障子の召合せ框に設けられるクレセント及びクレセント付サッシに関し、特に空掛け防止機能を有したクレセント及びクレセント付サッシに関する。
【手続補正４】
【補正対象書類名】明細書
【補正対象項目名】０００６
【補正方法】変更
【補正の内容】
【０００６】
本発明は、上記課題を解決すべくなされたものであり、防犯上の効果が高く、また空掛け防止機能によりクレセントや障子を破損することのないクレセント及びクレセント付サッシを提供することを目的とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】